Podtech/llm-jp-corpus-v4-ja_patent huggingface dataset:
(57)【要約】【課題】花形のアクセサリーに、ひとつの個体で咲いている花と閉じている花の二つの状態を表現できる機能を付加する。【解決手段】花弁の接合部分を稼動可能な構造とし、かつ、その部分に復元性をもつ材質を使用することにより、花弁の開閉および各状態の保持を可能とさせる。【選択図】図１
0003129139.tif 000002
【実用新案登録請求の範囲】
【請求項１】
花弁の接合部分を稼動可能な構造とし、かつ、その部分に復元性をもつ材質を使用することにより、花弁の開閉を可能とした花型のアクセサリー。
【考案の詳細な説明】
【技術分野】
【０００１】
本考案は、形状の変化が可能なアクセサリーに関するものである。
【背景技術】
【０００２】
従来、花の形状をしているアクセサリー等は存在するが、それらは咲いているか閉じているか、いずれかの状態で固定されており、ひとつの個体がその形状を変化させるものは無い。また、花弁が開閉する造花は存在するが、それらは鉢等に固定されているものであり、容易に携行できるものは無い。
【考案の開示】
【考案が解決しようとする課題】
【０００３】
解決しようとする問題点は、花弁の接合部分が固定されている点である。
【課題を解決するための手段】
【０００４】
本考案は、花弁の接合部分を稼動可能な構造とし、かつ、その部分に復元性をもつ材質を使用することにより、咲いている状態から閉じている状態へ、またその逆への変形が容易に可能であり、各状態を保持できることを特徴とする。
【考案の効果】
【０００５】
本考案のアクセサリーは、咲いている花と閉じている花の二つの状態をひとつの個体で表現することができる。また、鉢等に固定されていないので、容易に携行できる。
【考案を実施するための最良の形態】
【０００６】
花弁の接合部分にはバネのような復元力と曲げ伸ばしに対する耐久性をもつ材質を使用し、花弁（ｅ）には薄く軽量で且つその形状を維持できるような材質を使用する。花弁の接合部分は、花弁が取り付けられている放射状の部品（ｃ）と、それを反らせた状態に維持する為のリング（ｄ）と、花を開かせる為のレバーとなる部品（ｂ）と、花を閉じる為のチェーン部品（ａ）から構成されている。放射状の部品の直径より、リングの直径の方が短く、組みあがった状態で放射状の部品が凸状になることにより、咲いている状態、あるいは閉じている状態を維持することができる。
【実施例】
【０００７】
図１と図２は本考案の実施例の全体図であり、図１が咲いている状態、図２が閉じている状態のものである。この実施例では、放射状の部品（ｃ）にステンレス板を加工したものを使用し、花弁には糊を含んだ布を成型したものに、さらに防水加工を施したものを使用している。放射状の部品と花弁は、防水性の接着剤で接合している。咲いている状態から閉じている状態にするには、リング部分を持ち、チェーン（ａ）を引くことにより放射状の部品の凸方向を反転させる。また、閉じている状態から咲いている状態にするには、レバー（ｂ）を内側に押し込む。なお、実施例の花弁の中心には造花用のおしべを装着した。
【０００８】
図３と図４は本実施例の断面図であり、図３が咲いている状態、図４が閉じている状態、のものである。
【０００９】
図５は本実施例の構成部品である。図中のチェーン（ａ）は、表示上左右２本に分かれているが、実際は繋がっている１本のチェーンである。
【産業上の利用可能性】
【００１０】
ひとつの個体で、咲いている花と閉じている花の二つの状態を表現することができ、閉じる際に使用するチェーンの先端に取り付けてあるリングにより、キーホルダーとして携行もできる。
【図面の簡単な説明】
【００１１】
【図１】花が咲いている状態の全体を示した説明図である。
【図２】花が閉じている状態の全体を示した説明図である。
【図３】花が咲いている状態の断面を示した説明図である。
【図４】花が閉じている状態の断面を示した説明図である。
【図５】本実施例の構成部品を示した説明図である。
【図１】
0003129139.tif 000003
【図２】
0003129139.tif 000004
【図３】
0003129139.tif 000005
【図４】
0003129139.tif 000006
【図５】
0003129139.tif 000007
(57)【要約】【課題】網戸に目隠しまたは日よけの機能を付加する。【解決手段】ブラインド網戸１はやや奥行きのある戸枠２を有しており、その戸枠の外面側に防虫網３が張ってあり、その戸枠の中に昇降式のべネシアンブラインド５が収められている。戸枠の左右辺２ｂは、溝４を有するコの字断面の杆体で構成されており、溝は対向するように内側に向けてある。ブラインドのスラット５２とボトムレール５３は、両端がこれらの溝の中に収まっており、昇降時は溝に嵌ったまま溝に沿って上下する。【選択図】図１
0003129200.tif 000002
【実用新案登録請求の範囲】
【請求項１】
建物の開口を覆う引き戸であって、左右辺の各々が溝を有するコの字断面の杆体で構成され、該溝は対向するように内側を向いている矩形の戸枠と、該戸枠の外面側に展張した防虫網と、該戸枠の上辺から垂下する昇降式ベネシャンブラインドからなり、該ベネシャンブラインドのスラットおよびボトムレールの両端が、該杆体の該溝の中に収まっているブラインド網戸。
【考案の詳細な説明】
【技術分野】
【０００１】
本考案は、蚊などの虫の侵入を防止すると共に、目隠しまたは日よけにもなるブラインド網戸に関する。
【背景技術】
【０００２】
家の開口に網戸と昇降式のブラインドを２重に設ければ、目隠しと防虫の２つの効果が得られるが、開口を人が通るとき、網戸を開ける操作とブラインドを揚げる操作の両方が必要であり、大変面倒である。従来、ブラインドの上下の羽根（スラット）同士を、細長く裁断した防虫網を繋いで、スラットの隙間から蚊が入らないようにしたものがある（実用新案登録３０３３７３０号）。このものは操作性がよいが、スラットを防虫網で繋ぐ手間が大変で、コスト高になる。
【考案の開示】
【考案が解決しようとする課題】
【０００３】
この考案は、以上のような問題を解消したもので、既存の網戸と置き換えができるブラインド付き網戸を提供する。
【課題を解決するための手段】
【０００４】
この考案のブラインド網戸は建物の開口を覆う引き戸であり、戸枠は矩形に形成され、その左右辺の各々が溝を有するコの字断面の杆体で構成され、該溝は対向するように内側を向いている。この戸枠の外面側に防虫網を張り、さらに、戸枠の上辺から昇降式ベネシャンブラインドを垂下する。ブラインドのスラットおよびボトムレールは、両端を前記杆体の溝の中に収めるようにする。
。
【０００５】
このものでは、網戸が張ってあるので、蚊などの虫の侵入を防ぐことができるだけでなく、ブラインドを降ろせば、目隠しや日よけにもなる。また、ブラインドのスラットおよびボトムレールの両端が矩形枠の溝の中に納まっているので、風が強いときでも、ブラインドが風にあおられることがない。また、ブラインドがいつでも戸枠の中に納まっているので、開け閉めに支障をきたさないという効果がある。
。
【考案を実施するための最良の形態】
【０００６】
この考案の実施例を図面に基づいて説明する。図１はブラインド網戸の斜視図、図２は垂直断面図、図3は水平断面図である。この考案のブラインド網戸１はやや奥行きのある戸枠２を有しており、その戸枠の外面側に防虫網３が張ってあり、その戸枠の中に昇降式のべネシアンブラインド５が収められている。
【０００７】
戸枠２は矩形でアルミまたはプラスチックで作られれる。この戸枠の上辺２ａに、ブラインドのヘッドボックス５１が固定される。戸枠の左右辺２ｂは、溝４を有するコの字断面の杆体で構成されており、溝は対向するように内側に向けてある。ブラインドの各スラット５２とボトムレール５３は、両端がこれらの溝の中に収まっており、昇降時は溝に嵌ったまま溝に沿って上下する。  
【０００８】
べネシアンブランン５４は通常のものである。符号５４は昇降コード、５５はラダーコード、５６はチルトポール、５７は操作コードである。
【０００９】
図２に示すように、戸枠の上辺２ａと下辺２ｃに溝材６を取り付け、下の溝材には戸車６ａを組み込む。これら上下の溝材を開口部の上下のレール７、８の間にはめ込んで、ガラスをはめ込んだサッシ戸（引き違い戸）９に沿ってブラインド網戸１が動くようにする。
【００１０】
図３に示すように、サッシ戸９を開けた状態において、ブラインド網戸１をレールに沿って動かして開口１０を塞ぐようにすれば、防虫網３で蚊の侵入をブロックすることができる。ブラインド網戸１とサッシ戸９の隙間から蚊が侵入しないように、ブラインド網戸の戸枠２に起毛材料１１を取り付けておくとよい。
【００１１】
この状態で、コード５７を操作してスラット５２を降ろし、チルトポール５６を操作してスラットの向きを調節することで、目隠しや日よけになる。ブラインド網戸１をスライドして開ければ、開口１０から人が出入りすることができる。
【図面の簡単な説明】
【００１２】
【図１】ブラインド網戸の斜視図である。
【図２】同じく縦断面図である。
【図３】同じく水平断面図である。
【符号の説明】
【００１３】
１      ブラインド網戸
２      戸枠
２ｂ    戸枠の左右辺
３      防虫網
４      ブラインド
【図１】
0003129200.tif 000003
【図２】
0003129200.tif 000004
【図３】
0003129200.tif 000005
(57)【要約】      （修正有）【課題】現場への搬入、組み立て或いは撤去が迅速かつ容易に出来、確実かつ強固に連結することができる水嚢を提供する。【解決手段】本考案の水嚢は、４枚の硬質合成樹脂製の側板１ａと硬質合成樹脂製の底板１ｂにより組み立てられる上方が開口した剛性箱体１と、該剛性箱体の中に設置される軟質合成樹脂製の水袋２から構成される。【選択図】図２
0003129192.tif 000002
【実用新案登録請求の範囲】
【請求項１】
４枚の硬質合成樹脂製の側板と硬質合成樹脂製の底板により組み立てられる上方が開口した剛性箱体と、該剛性箱体の中に設置される軟質合成樹脂製の水袋から構成されることを特徴とする水嚢。
【請求項２】
上記底板が、上記各側板の下部接合縁に折曲げ自在に連結される半底板を組み付けて構成されることを特徴とする請求項１に記載の水嚢。
【請求項３】
１枚の上記側板の外側上部に連結用掛止片が取り付けられ、該側板と対面する上記側板の上部に、隣接する別の水嚢の連結用掛止片を掛け止めるための掛止凹部が形成されることを特徴とする請求項１または２に記載の水嚢。
【請求項４】
上記側板の下部にキャップ取付用穴が開けられると共に、上記水袋に水抜キャップが取り付けられ、該水袋を剛性箱体内に設置した時に、上記水抜キャップが上記キャップ取付用穴から露出するように構成したことを特徴とする請求項１、２または３に記載の水嚢。
【考案の詳細な説明】
【技術分野】
【０００１】
本考案は、洪水時の止水など特に防災用止水に使用する水嚢に関する。
【背景技術】
【０００２】
従来の水嚢としては、合成樹脂シートで作られた長方形の袋を止水現場に運んで、その注入口に注水して土嚢の代わりに防災用に使用されるものがあった。（例えば、特許文献１参照）
【０００３】
しかし、上記特許文献１の水嚢は、現場での注水や排水を迅速かつ容易に行うことができないだけでなく、水嚢同士を確実かつ強固に連結することが困難である等の問題点があった。
【特許文献１】特開２００５−１６３５１４号公報
【考案の開示】
【考案が解決しようとする課題】
【０００４】
本考案が解決しようとする課題は、現場への搬入、組み立て或いは撤去が迅速かつ容易に出来、確実かつ強固に連結することができる水嚢を提供することにある。
【課題を解決するための手段】
【０００５】
本考案の水嚢は、４枚の硬質合成樹脂製の側板と硬質合成樹脂製の底板により組み立てられる上方が開口した剛性箱体と、該剛性箱体の中に設置される軟質合成樹脂製の水袋から構成されることを特徴とする。また、上記底板が、上記各側板の下部接合縁に折曲げ自在に連結される半底板を組み付けて構成されることを特徴とする。さらに、１枚の上記側板の外側上部に連結用掛止片が取り付けられ、該側板と対面する上記側板の上部に、隣接する別の水嚢の連結用掛止片を掛け止めるための掛止凹部が形成されることを特徴とする。また更に、上記側板の下部にキャップ取付用穴が開けられると共に、上記水袋に水抜キャップが取り付けられ、該水袋を剛性箱体内に設置した時に、上記水抜キャップが上記キャップ取付用穴から露出するように構成したことを特徴とする。
【考案の効果】
【０００６】
本考案の水嚢は、現場への搬入、組み立て或いは撤去や、現場での水の注入（供給）や排水が迅速かつ容易に出来、確実かつ強固に連結することが出来るという利点がある。
【考案を実施するための最良の形態】
【０００７】
図１は、本考案の水嚢の一実施例を示すもので、主として上面が開口している剛性箱体１と、その中に設置される水袋２から構成されている。
【０００８】
上記剛性箱体１は、図２からも明らかなように、４枚の硬質合成樹脂製の側板１ａと、これら側板１ａにより取り囲まれた底面を塞ぐ硬質合成樹脂製の底板１ｂから成る。図３からも明らかなように、各側板１ａの相互の接合縁は折曲げ自在に連結されている。また、上記底板１ｂは、上記４枚の側板１ａの下部接合縁に各々折曲げ自在に連結されている４枚の半底板１ｂ′を組み付けることにより構成される。この４枚の半底板１ｂ′の組み付けは、例えば、段ボール箱の底部組み付けと同じように行う。
【０００９】
また、１枚の側板１ａの外側上部には連結用掛止片３が取り付けられていると共に、該側板１ａと対面する側板１ａの上部には、上記連結用掛止片３を掛け止めるための掛止凹部３′が形成されている。
【００１０】
さらに、１枚の側板１ａの下部には、キャップ取付用穴４が開けられている。
【００１１】
上記水袋２は、軟質合成樹脂から成り、少なくとも水を入れたときに上記剛性箱体１の内面に沿って設置される大きさを有する。該水袋２には、水抜キャップ５が取り付けられていて、剛性箱体１内に設置した時に、上記水抜キャップ５が上記キャップ取付用穴４から露出するように構成される。
【００１２】
本実施例の水嚢は、以上のように構成されているので、洪水時に例えば地下鉄や半地下建物の入り口などの止水現場に、上記図３に示すように折り畳まれた剛性箱体１を、必要見込み数だけ搬入し、現場で組み立てる。
【００１３】
続いて、組み立てられた上記剛性箱体１内に水袋２を入れる。この際、該水袋２に設けられた水抜キャップ５を、剛性箱体１のキャップ取付用穴４から臨かせておく。
【００１４】
なお、図４に示すように、複数の水嚢同士を並べて、隣接する水嚢を連結する。すなわち、水嚢の連結用掛止片３を隣接する水嚢の掛止凹部３′に掛けて、離れないようにしておく。
【００１５】
水嚢の準備が完了すると、上方が開放した水袋２内に水を入れる。水は周囲の雨水でも良いが、水道水を入れておくと災害後の生活用水として代用することができる。
【００１６】
水嚢を撤去する際には、まず、水抜キャップ５のキャップを抜いて、水袋２内の水を排水する。水袋２内の水量が少なくなったら、水嚢を倒して、一気に排水してもよい。排水が終わると中の水袋２を取り出し、剛性箱体１を図３で矢印逆方向に解体して、折り畳み撤去し、再利用のために保管すておく。
【００１７】
なお、図５に示すように、上記剛性箱体１の折曲げ箇所に粘着テープ６を貼り付けて補強するようにしても良い。
【図面の簡単な説明】
【００１８】
【図１】本考案の水嚢の一実施例を示す斜視図である。
【図２】図１の水嚢の分離斜視図である。
【図３】水嚢の組み立ての説明図である。
【図４】水嚢連結の説明図である。
【図５】粘着テープによる剛性箱体の補強説明図である。
【符号の説明】
【００１９】
１    剛性箱体
１ａ  側板
１ｂ  底板
２    水袋
３    連結用掛止片
３′  掛止凹部
４    キャップ取付用穴
５    水抜キャップ
６    粘着テープ
【図１】
0003129192.tif 000003
【図２】
0003129192.tif 000004
【図３】
0003129192.tif 000005
【図４】
0003129192.tif 000006
【図５】
0003129192.tif 000007
(57)【要約】【課題】  優れた構造強度を有する共に、断裂しにくいチップモジュールを提供する。【解決手段】  上表面を有するベース層１０と、該ベース層１０の上表面に設けられるフレキシブル回路板２０と、導電性接着剤３１により前記フレキシブル回路板２０と電気接続するチップ３０と、該チップ３０をフレキシブル回路板２０に包覆する保護ゲル４０と、該チップ４０の上部における保護ゲル４０にカバーする保護カバー５０と、を備えることを特徴とする。【選択図】  図１
0003129884.tif 000002
【実用新案登録請求の範囲】
【請求項１】
上表面を有するベース層と、
前記ベース層の上表面に設けられるフレキシブル回路板と、
導電性接着剤により前記フレキシブル回路板と電気接続するチップと、
前記チップをフレキシブル回路板に包覆する保護ゲルと、
前記チップの上部における保護ゲルにカバーする保護カバーと、を備えることを特徴とするチップモジュール。
【請求項２】
前記保護ゲルは、非導電性顆粒ペースト（ＮＣＰ）であることを特徴とする請求項１に記載のチップモジュール。
【請求項３】
前記導電性接着剤は、異向性導電フィルム（ＡＣＦ）又は異向性導電ペースト（ＡＣＰ）であることを特徴とする請求項１又は２に記載のチップモジュール。
【考案の詳細な説明】
【技術分野】
【０００１】
本考案は、特に優れた構造強度を有する共に、断裂しにくいチップモジュールに関するものである。
【背景技術】
【０００２】
通常、電子製品を小型化するためには、該電子製品に搭載する電子部材も小型化する必要がある。図２に示すように、電子製品に搭載される従来のチップモジュールは、単層の回路基板（７０）上にチップ（６０）が設けられ、該回路基板（７０）に切断線（７１）が設けられ、該切断線（７１）に沿って回路基板（７０）を二つの電極（７０１）（７０２）に分割することができ、該電極（７０１）（７０２）同士の間に非導電接着剤が設けられることにより、電極（７０１）（７０２）を電気隔離させる。
【０００３】
前記チップ（６０）は、回路基板（７０）における一つの電極（７０２）に設置された後、ワイヤによって夫々電極（７０１）（７０２）と電気接続される。又、このようなチップモジュールはよく使用されているため、特に特許文献又は非特許文献に記載されていない。
【考案の開示】
【考案が解決しようとする課題】
【０００４】
しかしながら、前記従来のチップモジュールは、チップ（６０）を直接に単層の回路基板（７０）に設けることにより、チップモジュールの全体体積を減少することができるが、構造強度も同時に低下してしまうので、回路基板（７０）の切断線（７１）に沿ってチップモジュールが断裂してしまうという問題が発生しやすい。
【０００５】
そこで、案出されたのが本考案であって、優れた構造強度を有する共に、断裂しにくいチップモジュールを提供することを目的としている。
【課題を解決するための手段】
【０００６】
本願の請求項１の考案は、上表面を有するベース層と、
前記ベース層の上表面に設けられるフレキシブル回路板と、
導電性接着剤により前記フレキシブル回路板と電気接続するチップと、
前記チップをフレキシブル回路板に包覆する保護ゲルと、
前記チップの上部における保護ゲルにカバーする保護カバーと、を備えることを特徴とするチップモジュール、を提供する。
【０００７】
本願の請求項２の考案は、前記保護ゲルは、非導電性顆粒ペースト（ＮＣＰ）であることを特徴とする請求項１に記載のチップモジュール、を提供する。
【０００８】
本願の請求項３の考案は、前記導電性接着剤は、異向性導電フィルム（ＡＣＦ）又は異向性導電ペースト（ＡＣＰ）であることを特徴とする請求項１又は２に記載のチップモジュール、を提供する。
【考案の効果】
【０００９】
本考案は上記の課題を解決するものであり、チップを有するフレキシブル回路板の下方にステンレス又はプラスチックのような硬質の素材からなるベース層を設けると共に、上方に緩衝効果を有する保護ゲル及び硬質の素材からなる保護カバーを設けることにより、チップモジュールの構造強度を確実に向上することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るチップモジュールの断面図である。図１に示すように、本考案に係るチップモジュールは、上表面を有するステンレス又はプラスチックからなるベース層（１０）と、
該ベース層（１０）の上表面に設けられるフレキシブル回路板（２０）と、
導電性接着剤（３１）により前記フレキシブル回路板（２０）と電気接続するチップ（３０）と、
該チップ（３０）をフレキシブル回路板（２０）に包覆する保護ゲル（４０）と、
該チップ（３０）の上部における保護ゲル（４０）にカバーする保護カバー（５０）と、を備える。
【００１２】
本実施例における導電性接着剤（３１）は、異向性導電フィルム（ＡＣＦ）又は異向性導電ペースト（ＡＣＰ）であり、前記保護ゲル（４０）は、非導電性顆粒ペースト（ＮＣＰ）であり、前記保護カバー（５０）は、ステンレス又はプラスチックからなる。
【００１３】
本考案に係るチップモジュールは、ステンレス又はプラスチックのような硬質の素材からなるベース層（１０）をフレキシブル回路基板（２０）の下方に設けると共に、チップ（３０）の上方に緩衝効果を有する保護ゲル（４０）を設けることにより、チップモジュールの構造強度を向上することができ、又、保護ゲル（４０）の上方にステンレス又はプラスチックのような硬質の素材からなる保護カバー（５０）を設けることにより、チップモジュールの構造強度を更に向上することができるので、優れた構造強度を有する共に、断裂しにくい効果を達成できる。
【産業上の利用可能性】
【００１４】
本考案は上記の構成を有するので、チップを有するフレキシブル回路板の下方にステンレス又はプラスチックのような硬質の素材からなるベース層を設けると共に、上方に緩衝効果を有する保護ゲル及び硬質の素材からなる保護カバーを設けることにより、チップモジュールの構造強度を確実に向上することができる。
【図面の簡単な説明】
【００１５】
【図１】本考案に係るチップモジュールの断面図である。
【図２】従来のチップモジュールの平面図である。
【符号の説明】
【００１６】
１０        ベース層
２０        フレキシブル回路板
３０        チップ
３１        導電性接着剤
４０        保護ゲル
５０        保護カバー
６０        チップ
７０        回路基板
７０１      電極
７０２      電極
７１        切断線
【図１】
0003129884.tif 000003
【図２】
0003129884.tif 000004
(57)【要約】      （修正有）【課題】回動側部材を固定側部材に対して２７０度まで回動させることができる構造簡単な平蝶番を提供する。【解決手段】同一軸線上に整列する軸筒部１を一側辺部に有する２枚の翼板２ａ，３ａと、前記軸筒部１に挿入されて前記２枚の翼板２，３を互いに回転可能に連結する枢軸４とからなる。そして固定側部材１２に取り付けられる翼板３ａは、長穴５を形成するに足りる分だけ、軸筒部１と垂直方向の寸法を他方の翼板２ａよりも大きくされる。長穴５は、回動側部材１１の板厚寸法以上の長径を有しかつ長径方向が軸筒部１と垂直方向となるように形成される。【選択図】図１
0003129867.tif 000002
【実用新案登録請求の範囲】
【請求項１】
同一軸線上に整列する軸筒部を一側辺部に有する２枚の翼板と、前記軸筒部に挿入されて前記２枚の翼板を互いに回転可能に連結する枢軸とからなり、少なくとも一方の翼板には翼板を取り付ける部材の板厚寸法以上の長径を有しかつ長径方向が軸筒部と垂直方向となる長穴を形成し、前記長穴を形成した翼板をスライド可能に部材に取り付けられる平蝶番。
【考案の詳細な説明】
【技術分野】
【０００１】
本考案は、回動側部材を固定側部材に連結するために使用される平蝶番に関するものである。
【背景技術】
【０００２】
回動側部材１１を固定側部材１２に連結するために使用される平蝶番２０は、同一軸線上に整列する軸筒部１を一側辺部に有する２枚の翼板２，３と、前記軸筒部１に挿入されて前記２枚の翼板２，３を互いに回転可能に連結する枢軸４とからなる（図２（ａ）参照）。
【０００３】
上側板と下側板とから構成されるコンテナの側板において、上側板を回動側部材１１とし、下側板を固定側部材１２として従来公知の平蝶番２０を外側を取り付け面として連結するようにしたものがある。回動側部材１１を外側に１８０度回動させることができ、荷解きするときや荷物を収納する荷扱い作業に便利であるからである。
【０００４】
このように、回動側部材１１と固定側部材１２を、従来公知の平蝶番２０を用いて連結すると、固定側部材１２に対する回動側部材１１の最大回動角度は、平蝶番取り付け面を内側とする１８０度となる。
【０００５】
一方前記のように上側板と下側板とから構成されるコンテナの側板においては、空荷のとき、フォークリフト作業の邪魔にならないように、回動側部材１１としての上側板を図のＡ方向に９０度回動できるようにすることが求められる。
しかしながら、従来公知の平蝶番２０を用いた連結では、回動側部材１１を図のＡ方向に９０度回動することはできない。回動側部材１１と固定側部材１２の縁相互が当接しており、相互の縁が邪魔になるからである（図２（ｂ）参照）。
【０００６】
回動側部材１１の回動範囲が２７０度である蝶番として二軸型蝶番がある（例えば登録実用新案第３０４１５６２号公報参照）。
【特許文献１】登録実用新案第３０４１５６２号公報
【考案の開示】
【考案が解決しようとする課題】
【０００７】
二軸型は構造が複雑となるため、単純な平蝶番と比較すると高価でありコンテナのように低価格が要求される対象には適していない。
本願考案が解決しようとする課題は、回動側部材１１を固定側部材１２に対して２７０度まで回動させることができる構造簡単な平蝶番を提供することにある。
【課題を解決するための手段】
【０００８】
本考案は、同一軸線上に整列する軸筒部１を一側辺部に有する２枚の翼板２ａ，３ａと、前記軸筒部１に挿入されて前記２枚の翼板２ａ，３ａを互いに回転可能に連結する枢軸４とからなり、少なくとも一方の翼板には翼板を取り付ける部材の板厚寸法以上の長径を有しかつ長径方向が軸筒部と垂直方向となる長穴５を形成し、前記長穴５を形成した翼板３は部材に対してスライド可能に取り付けられる平蝶番１０である。
【考案の効果】
【０００９】
本考案の平蝶番は、部材に対してスライド可能であるため、回動側部材１１をスライドさせて固定側部材１２から離隔させる。そうすると、回動側部材１１の縁が固定側部材１１の縁に当接しないので、蝶番取り付け面を外側にして９０度まで回動させることができる。
そして、平蝶番と構成であるから、価格面でも遜色がないものである。
【考案を実施するための最良の形態】
【００１０】
以下、本考案の平蝶番を図面を用いて説明する。
【００１１】
図１は本考案仕切り材の構成を示し、（ａ）平蝶番の平面図、（ｂ）使用状態を示す側面図である。
【００１２】
本考案を実施するための最良の形態になる平蝶番２０は、同一軸線上に整列する軸筒部１を一側辺部に有する２枚の翼板２ａ，３ａと、前記軸筒部１に挿入されて前記２枚の翼板２，３を互いに回転可能に連結する枢軸４とからなる。そして固定側部材１２に取り付けられる翼板３ａは、長穴５を形成するに足りる分だけ、軸筒部１と垂直方向の寸法を他方の翼板２ａよりも大きくされる。長穴５は、回動側部材１１の板厚寸法以上の長径を有しかつ長径方向が軸筒部１と垂直方向となるように形成される。
【００１３】
長穴５を形成した翼板３ａは固定側部材に、長穴５の短径より若干小さい外径のピン（図示略）により取り付けられ、固定側部材１２に対してスライド可能とされる。
【００１４】
次に、動作を説明する。
【００１５】
回動側部材１１を平蝶番２０取り付け面側に１８０度回動させるときは、従来と同じ動作である（図２（ｂ）参照）。
【００１６】
次に、回動側部材１１を平蝶番２０の取り付け面とは反対側に９０度回動させるときは、回動側部材１１をＢ方向に引き上げて枢軸４を回動側部材１１の板厚分だけ上に移動させ、次にＡ方向に回動させればよい。
【００１７】
なお、長穴５を回動側部材１１に取り付けられる翼板２ａに形成してもよい。このときは、回動側部材１１が翼板に対してスライドする。そして、長穴５の長径は回動側部材１１が固定側部材１２の板厚以上スライドできるに足りる寸法とする必要がある。
【図面の簡単な説明】
【００１８】
【図１】本考案一実施例になる平蝶番の構成を示し、（ａ）は平面図、（ｂ）は回動側部材１１を平蝶番２０の取り付け面とは反対側に９０度回動させるときの動作を説明するための側面図である。
【図２】従来の平蝶番の構成を示し、（ａ）は平面図、（ｂ）は回動側部材１１を平蝶番２０の取り付け面側に回動させるときの動作を説明するための側面図である。
【符号の説明】
【００１９】
１      軸筒部
２，２ａ、３，３ａ  翼板
４      枢軸
５      長穴
１０      平蝶番
１１      回動側部材
１２      固定側部材
２０      平蝶番（従来）
【図１】
0003129867.tif 000003
【図２】
0003129867.tif 000004
(57)【要約】【課題】製造工程が簡単で、発光ダイオードと外部回路とを接続する面の構造が堅固で破損しにくく、さらに放熱効果に優れた発光ダイオードの構造を提供する。【解決手段】複数のＬＥＤチップ２および導電板４からなる。導電板４は、正極板４１、負極板４２および搭載板４３からなり、搭載板４３は絶縁材料であって、正極板４１と負極板４２との間に挟設される。搭載板４３の厚さは正極板４１および負極板４２よりも薄く、正極板４１と負極板４２との間には収容空間４４が形成され、複数のＬＥＤチップ２が設置される。各ＬＥＤチップ２の電極端はＬＥＤチップ２の両側部に設けられた正極片２１および負極片２２からなり、この正極片２１は隣り合う正極板４１と電気的に接触し、負極片２２は隣り合う負極板４２と電気的に接触する。接続された後、ＬＥＤチップ２、３の表面に封止体５が充填されて一体に構成される。【選択図】  図３
0003129870.tif 000002
【実用新案登録請求の範囲】
【請求項１】
複数のＬＥＤチップと導電板からなり、
前記導電板は、正極板、負極板および搭載板から構成され、前記搭載板は絶縁体であり、前記正極板と負極板との間に挟設され、その厚さは前記正極板および負極板よりも薄く、それによって正極板と負極板との間に収容空間が形成され、
前記複数のＬＥＤチップは、前記収容空間に搭載され、前記ＬＥＤチップの電極端は、前記ＬＥＤチップの両側部に位置した正極片および負極片からなり、上記搭載板の収容空間に載置されて前記正極片は隣り合う正極板と電気的に接触し、前記負極片は隣り合う正極板と電気的に接触して、それぞれ接続された後、ＬＥＤチップの表面の前記正極板と負極板との間に封止体が充填されて一体に構成されることを特徴とする発光ダイオードの構造。
【請求項２】
前記搭載板底面、正極板および負極板は、平面であることを特徴とする請求項１記載の発光ダイオードの構造。
【請求項３】
前記搭載板、正極板および負極板は、一体に成形されることを特徴とする請求項１または２記載の発光ダイオードの構造。
【考案の詳細な説明】
【技術分野】
【０００１】
本考案は発光ダイオードに関し、特に同時に複数のＬＥＤチップを備えた発光ダイオードの構造に関する。
【背景技術】
【０００２】
図１に示すように、従来技術による発光ダイオード１は、１つのＬＥＤチップ１０だけを備え、ＬＥＤチップ１０の電極が接合されるリード１１によって適用される回路と電気的に接続され、ＬＥＤチップ１０の表面を封止体１２により封止されて構成される。
【０００３】
実際に使用されるとき、高い発光輝度を達成させるために、発光ダイオードは通常複数個使用され、例えば、発光パネルなどは複数の発光ダイオードが直列／並列に配列されて光源として使用される。図１に示すように、各発光ダイオード１のリード１１が回路板１３に接合され、複数の発光ダイオードによって必要な発光輝度が達成される。
【０００４】
しかし、上述の構造の発光ダイオードは、保管に不便で遺失しやすく、外部に露出したリードは折れたり、破損したりしやすい。また、これらのリードは、打ち抜き、プレス成形、研磨および鍍金処理が必要なので、資源および電気エネルギの無駄が生じたり、廃材および鍍金汚染などが生じたりする問題がある。また、発光輝度を高めるために発光ダイオードを１つずつ回路板に挿設して直列／並列に配列する必要がある方式は作業上不便である。
【０００５】
【特許文献１】特開２００６−３１９２９０号公報
【考案の開示】
【考案が解決しようとする課題】
【０００６】
本考案の目的は、複数のＬＥＤチップを備え、一度に所要の発光輝度を達成し、製造工程を簡素化し、発光ダイオードと外部回路とを接続する面の構造が堅固で破損しにくく、さらに放熱効果に優れた発光ダイオードの構造を提供することにある。
【課題を解決するための手段】
【０００７】
上述の目的を達成するために、本考案の発光ダイオードは、複数のＬＥＤチップおよび導電板を備える。導電板は、正極板、負極板および搭載板を備える。搭載板は絶縁材料からなり、正極板と負極板との間に挟設される。搭載板の厚さは正極板および負極板よりも薄く、正極板と負極板との間には収容空間が形成され、複数のＬＥＤチップが設置される。各ＬＥＤチップの電極端はＬＥＤチップの両側部に設けられ、正極片および負極片を備える。この正極片は隣り合う正極板と電気的に接触し、負極片は隣り合う負極板と電気的に接触する。その後、ＬＥＤチップの表面に封止体が封設されて構成される。
【考案の効果】
【０００８】
使用者は予め必要な発光輝度に応じて搭載するＬＥＤチップの数量を決定でき、一度に成形することによって製造工程を簡素化でき、電極板は一体成形できるので、本考案の発光ダイオードは堅固な接続面によって外部の回路板と接続でき、保管に便利で破損しにくい。特に、複数の光源を備える本考案の発光ダイオードは使用環境の美化に貢献でき、外部に露出する溶接点は全くなく、透明のショーウィンドウ内に設置した場合でも、周囲のデザインに影響を与えることがない。
【考案を実施するための最良の形態】
【０００９】
図２、３に示すように、本考案の発光ダイオードの構造は、複数のＬＥＤチップ２、３および導電板４を備える。導電板４は正極板４１、負極板４２および搭載板４３を備え、一体に成形される。搭載板４３は絶縁体であり、正極板４１と負極板４２との間に挟置され、その厚さは正極板４１および負極板４２よりも薄く、正極板４１と負極板４２との間に収容空間４４が形成される。搭載板４３の底面４３１、正極板４１および負極板４２は平面であり、搭載板表面４３２は複数のＬＥＤチップ２、３を並べて搭載する。
【００１０】
上述の各ＬＥＤチップ２の電極端は、ＬＥＤチップ２の両側部に位置し、正極片２１および負極片２２を備える。この正極片２１は、隣り合う正極板４１と電気的に接触し、負極片２２は隣り合う負極板４２と電気的に接触し、接続された後、ＬＥＤチップ２の表面と正極板４１と負極板４２との間に封止体５が充填されて一体に構成される。
【００１１】
上述の構造によって、使用者は予め必要な発光輝度に応じて搭載するＬＥＤチップ２、３の数量を決定でき、一度に成形することによって製造工程を簡素化でき、電極板４は一体成形できるので、本考案の発光ダイオードは堅固な接続面によって外部の回路板と接続でき、保管に便利で破損しにくい。特に、複数の光源を備える本考案の発光ダイオードは使用環境の美化に貢献でき、外部に露出する溶接点は全くなく、透明のショーウィンドウ内に設置した場合でも、周囲のデザインに影響を与えることがない
【図面の簡単な説明】
【００１２】
【図１】従来技術による発光ダイオードの使用状態を示す断面図である。
【図２】本考案を示す分解図である。
【図３】本考案を示す断面図である。
【符号の説明】
【００１３】
２、３  ＬＥＤチップ
２１    正極片
２２    負極片
４      導電板
４１    正極板
４２    負極板
４３    搭載板
４３１  搭載板底面
４３２  搭載板表面
４４    収容空間
５      封止体
【図１】
0003129870.tif 000003
【図２】
0003129870.tif 000004
【図３】
0003129870.tif 000005
(57)【要約】【課題】本考案は、爪楊枝の機能を効果的に高めたものである。【解決手段】本考案は、爪楊枝本体の先太る先端上部の軸の中心から先細る方向部分に割れ目を有し、１本の爪楊枝を小さく２本に割り箸のように分離することで、更に小さく細い爪楊枝ができ、残渣物の清掃が出来るようにしたものである。【選択図】図１
0003129807.tif 000002
【実用新案登録請求の範囲】
【請求項１】
爪楊枝本体の先太る先端上部の軸の中心から先細る方向部分に、割れ目を設けたところを特徴とする割り楊枝。
【考案の詳細な説明】
【技術分野】
【０００１】本考案は、食事時に使用される爪楊枝に関するものである。
【背景技術】
【０００２】従来の爪楊枝の先細る先端部は、太さが一定し、形態もノーマルで歯間部の食物の残渣物を確実に取り除くことが出来ない。
【考案の開示】
【考案が解決しようとする課題】
【０００３】本考案は、歯の衛生と虫歯予防を維持する為、前述の欠点を解決しようとするものである。
【課題を解決するための手段】
【０００４】本考案の爪楊枝は、先太る先端上部の軸の中心から先細る方向部分に割れ目を設け１本の爪楊枝を小さく２本に割り箸のように分離することで、更に小さく細い爪楊枝ができ、残渣物の清掃が出来ることで課題を解決したものである。
【考案の効果】
【０００５】上述の様に、本考案の爪楊枝は一本の爪楊枝を分離することでさらに細い爪楊枝ができ、従来の爪楊枝ではできなかった小さな隙間の歯間部でも容易に残渣物、歯垢を効率よく取り除くことができる。
【考案を実施するための最良の形態】
【０００６】本考案は、木材、竹材、プラスチック等の素材を使用し、一本の爪楊枝を分離でき更に小さな細い楊枝ができることを特徴とする。
【実施例】
【０００７】本考案の爪楊枝一本を分離することで、小さな隙間の歯間部の清掃ができる。
【図面の簡単な説明】
【０００８】
【図１】割り楊枝の平面図である。
【図２】割り楊枝の分離断面図である。
【符号の説明】
【０００９】１  割り楊枝本体
２  割り楊枝分離平面図
３  割り楊枝分離断面図
【図１】
0003129807.tif 000003
【図２】
0003129807.tif 000004
(57)【要約】【課題】本考案は、爪楊枝の機能を効果的に高めたものである。【解決手段】本考案は、爪楊枝の先細る円形先端部にらせん状の溝を設け、歯間部の食物の残渣物を効果的に取り除くことができるようにしたものである。【選択図】図１
0003129808.tif 000002
【実用新案登録請求の範囲】
【請求項１】
爪楊枝本体の先細る先端円形部分に、らせん状の溝を設けたところを特徴とするスパイラル楊枝。
【考案の詳細な説明】
【技術分野】
【０００１】本考案は、食事時に使用される爪楊枝に関するものである。
【背景技術】
【０００２】従来の爪楊枝の先細る先端部は、ノーマルの為歯間部の食物の残渣物を確実に取り除くことが出来ない。
【考案の開示】
【考案が解決しようとする課題】
【０００３】本考案爪楊枝は、虫歯予防と歯の衛生を維持する為、前述の欠点を解決しょうとするものである。
【課題を解決するための手段】
【０００４】本考案の爪楊枝は、先細る円形先端部にらせん状を設け、食物の残渣物を効果的に取り除くことができる。
【考案の効果】
【０００５】前述の本考案爪楊枝を使用することで、虫歯予防に役立つ。
【考案を実施するための最良の形態】
【０００６】本考案の爪楊枝は、木材、竹材、プラスチック等の素材を使用し、先端部分がらせん状の溝に加工されておりその為、効果的な歯間部の清掃ができる。
【実施例】
【０００７】本考案爪楊枝の先細る部分は、らせん状のネジ作用で歯間部に爪楊枝が挿入しやすく効率のよい歯間部の清掃ができる。
【図面の簡単な説明】
【０００８】
【図１】本考案のスパイラル楊枝の平面図である。
【符号の説明】
【０００９】１  スパイラル爪楊枝本体
２  スパイラル加工
【図１】
0003129808.tif 000003
(57)【要約】      （修正有）【課題】書き間違え時、直接、便利、迅速に修正ができ、且つ、構造設計が安定しているので、使用時の施力が安定し、修正や書き動作が精確に実行できる修正ツールを同軸結合する筆記具を提供する。【解決手段】修正ツールを同軸結合する筆記具は、垂直の握持部１０を有し、その一端にヘッド２０を設け、蓋２１を有する。ヘッドはボールペン、油性ペン等で、もう一端のヘッドと同軸である箇所は修正ツール３０を有する。修正ツールは修正液か修正テープで、ヘッドと修正ツールは握持棒と一体に設計される。【選択図】図１
0003129851.tif 000002
【実用新案登録請求の範囲】
【請求項１】
修正ツールを同軸結合する筆記具であって、その特徴は、
垂直の握持棒は一端にヘッドを有し、前記握持棒はもう一端が上記修正ツールで、前記ヘッドと前記修正ツールは一体に設計されることを特徴とする筆記具。
【請求項２】
前記ヘッドは蓋を使用することを特徴とする請求項１に記載の筆記具。
【請求項３】
前記修正ツールは修正液か修正テープのどちらかであることを特徴とする請求項１に記載の筆記具。
【請求項４】
前記ヘッド、前記修正ツールと前記握持棒は一体設計で、前記ヘッドの芯は交換、補充が出来、前記ツールの内容物も交換、補充できることを特徴とする請求項１に記載の筆記具。
【考案の詳細な説明】
【技術分野】
【０００１】
本考案は文書、オフィス用の筆記具に関し、筆記具の後端に一体、且つ、同軸で修正液、或いは、修正テープを結合し、書き間違え時、直接、筆記具の後端の修正液、及び、修正テープを転向させて使用する筆記具に関する。
【背景技術】
【０００２】
現在、手書きの文書は筆記具を使用するが、この種の方式で必ず書き損じが生じる。修正するために使用する修正用具は二種あり、修正液か修正テープである。筆記具と修正液、修正テープは二種の構造と物品であり、通常、修正液と修正テープは筆箱や引き出しにしまってあり、書き間違え時に取り出すのは非常に不便である。
【考案の開示】
【考案が解決しようとする課題】
【０００３】
本考案は、上述の問題を改善するような修正液あるいは修正テープの修正ツールを同軸結合した筆記具を提供することを目的とする。
【課題を解決するための手段】
【０００４】
本考案の修正液あるいは修正テープの修正ツールを同軸結合した筆記具は、垂直の握持棒を有し、握持棒は一端にヘッドを有し、もう一端は修正ツールを設置する。
【考案の効果】
【０００５】
本考案の構造は筆記具に修正ツールが備わっており、使用に便利である。
【考案を実施するための最良の形態】
【０００６】
図１、図２で示されるように、垂直の握持部１０は一端にヘッド２０を設け、蓋２１を有する。ヘッド２０はボールペン、油性ペン等で、もう一端のヘッドと同軸である箇所は修正ツール３０を有する。修正ツール３０は修正液か修正テープで、ヘッド２０と修正ツール３０は握持棒１０と一体に設計されるが、ヘッド２０の芯やインクを交換する、及び、修正ツール３０の芯や修正液、或いは、テープを交換することができる。
【０００７】
図１の握持棒１０の一端がヘッド２０で、同軸のもう一端は修正テープである。
【０００８】
図２の握持棒１０の一端がヘッド２０で、同軸のもう一端は修正液であり、且つ、外蓋３１を有する。
【０００９】
使用時、図３で示されるように、直接、握持棒１０を握持し、ヘッド２０で書き、書き間違え時、図４で示されるように、直接、筆記具を１８０度回転させて、修正ツール３０をミス箇所に照準して修正する。
【００１０】
上述の構造により、以下のような効果がある。
１．修正時、ヘッド２０と修正ツール３０が同一の握持部１０に一体結合されているので直接使用でき、取り出しの時間が節約できる。
２．ヘッド２０と修正ツール３０は同時に、同一の握持棒１０に一体結合されるので、安定した使用が可能で、ヘッド２０、或いは、修正ツール３０が揺動することなく、安定した施力と精確な修正が可能である。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００１２】
【図１】本考案の立体図である。
【図２】本考案のもう一つの立体図である。
【図３】本考案の書く状態図である。
【図４】本考案の修正の状態図である。
【符号の説明】
【００１３】
１０  握持棒
２０  ヘッド
２１  蓋
３０  修正ツール
３１  外蓋
１    書く箇所
【図１】
0003129851.tif 000003
【図２】
0003129851.tif 000004
【図３】
0003129851.tif 000005
【図４】
0003129851.tif 000006
(57)【要約】      （修正有）【課題】受診者に全方位的な健康診断ができる携帯式健康診断装置を提供する。【解決手段】主に携帯式健康診断装置を提供する。それは受診者身体の電位差の感知/測定を利用し、該各電位差を複数の健康状態を表す数値に換算し、該各健康状態を表す数値により該受診者の身体状況を知り、予防と保健の機能を達成する。【選択図】図１
0003129830.tif 000002
【実用新案登録請求の範囲】
【請求項１】
主に検査測定ユニット、演算ユニット、保存ユニットを含み、
該検査測定ユニットは第一検査測定端及び第二検査測定端を備え、
該第一検査測定端は受診者の手部に付着接触し、該第二検査測定端と該受診者のその他身体部分は接触し複数の電位差を感知/測定し、
該演算ユニットは該各電位差を複数の健康状態を表す数値に換算し、
該保存ユニットは該各健康状態を表す数値を保存することを特徴とする携帯式健康診断装置。
【請求項２】
前記携帯式健康診断装置はさらに表示ユニットを含み、
該表示ユニットは該各健康状態を表す数値を表示することを特徴とする請求項１記載の携帯式健康診断装置。
【請求項３】
前記携帯式健康診断装置はさらに連接ユニットを含み、
該連接ユニットにより該携帯式健康診断装置はコンピュータに連接されることを特徴とする請求項１記載の携帯式健康診断装置。
【請求項４】
前記表示ユニットは液晶ディスプレーであることを特徴とする請求項２記載の携帯式健康診断装置。
【請求項５】
前記連接ユニットはＵＳＢ連接装置であることを特徴とする請求項３記載の携帯式健康診断装置。
【請求項６】
前記演算ユニットはマイクロプロセッサーであることを特徴とする請求項１記載の携帯式健康診断装置。
【請求項７】
前記第一検査測定端は固定部を備えることを特徴とする請求項１記載の携帯式健康診断装置。
【請求項８】
前記保存ユニットはＲＡＭであることを特徴とする請求項１記載の携帯式健康診断装置。
【考案の詳細な説明】
【技術分野】
【０００１】
本考案は一種の携帯式健康診断装置に関する。特に一種の受診者身体の電位差を健康状態を表す数値に転換し、受診者に身体状況を知らせ、健康維持の機能を達成する携帯式健康診断装置に係る。
【背景技術】
【０００２】
現在の健康診断装置は、一般には血圧計或いは体温計等の単一機能の診断装置で、その機能も単一であり、簡単な検査測定ができるだけである。機能が揃い受診者に全面的な検査測定を提供するには、コンピュータを用い検査測定を行う必要があり、携帯に不便であるという問題があった。
【考案の開示】
【考案が解決しようとする課題】
【０００３】
携帯に便利で、しかも受診者に全方位的な健康診断を提供可能な携帯式の健康診断装置を考案することが本考案の課題である。
【課題を解決するための手段】
【０００４】
上記課題を解決するため、本考案は下記の携帯式健康診断装置を提供する。
【０００５】
それは主に携帯式健康診断装置を提供し、それは受診者身体の電位差を健康状態を表す数値に転換し、受診者に身体状況を知らせ、健康維持の機能を達成し、
さらにそれは携帯式健康診断装置を提供し、それは受信者身体の電位差の感知/測定を利用し、該各電位差を複数の健康状態を表す数値に換算し、該各健康状態を表す数値により該受診者の身体状況を知り、予防と保健機能の目的を達成し、
すなわちそれは携帯式健康診断装置を提供し、それは検査測定ユニット、演算ユニット、保存ユニットを含み、
該検査測定ユニットは第一検査測定端及び第二検査測定端を備え、該第一検査測定端は受診者の手部に付着接触し、該第二検査測定端と該受診者身体のその他部分は接触し複数の電位差を感知/測定し、該演算ユニットは該各電位差を複数の健康状態を表す数値に換算し、該保存ユニットは該各健康状態を表す数値を保存し、
これにより受診者身体の電位差を健康状態を表す数値に転換し、受診者に身体状況を知らせ、健康保健の目的を達成する携帯式健康診断装置を提供する。
【考案の効果】
【０００６】
上記のように、本考案は受信者身体の電位差を感知/測定し、該各電位差を複数の健康状態を表す数値に換算し、該各健康状態を表す数値により該受診者の身体状況を知り、予防と保健機能の目的を達成する。コンピュータを対応させる必要のあった健康診断装置を本考案はより実用的にすることができ、産業上の利用価値が非常に高く、本考案を利用し生産する製品は現在の市場のニーズを十分に満たすことができる。
【考案を実施するための最良の形態】
【０００７】
本考案最適実施例のシステムブロックチャート及び最適実施例図である図１、２にそれぞれ示すように、本考案の携帯式健康診断装置１は検査測定ユニット２、演算ユニット４、保存ユニット５、表示ユニット６、連接ユニット７を含む。
【０００８】
該検査測定ユニット２は第一検査測定端２１及び第二検査測定端２２を備え、固定部を備えた該第一検査測定端２１は受診者３の手部に付着接触し、該第二検査測定端２２と該受診者３身体のその他部分は接触し、複数の電位差(ツボ及び皮膚電気抵抗など)を感知/測定する。
【０００９】
該演算ユニット４(マイクロプロセッサーなど)は該各電位差を複数の健康状態を表す数値に換算する。
【００１０】
該保存ユニット５(ＲＡＭなど)は該各健康状態を表す数値を保存する。
【００１１】
該表示ユニット６(液晶ディスプレーなど)は測定完了後に、該各健康状態を表す数値を表示する。
【００１２】
該連接ユニット７(ＵＳＢ連接装置など。但しこれに限定しない)はさらに進んだ分析を行う必要がある、或いは該保存ユニット５中の使用空間が既にいっぱいである時、該携帯式健康診断装置１は該連接ユニット７によりコンピュータ(図示なし)に連接し、該健康状態を表す数値に対してさらに進んだ分析、判断を行い、或いは該保存ユニット５中のデータをコンピュータのハードディスク中に保存する。
【図面の簡単な説明】
【００１３】
【図１】本考案の最適実施例のシステムブロックチャートである。
【図２】本考案の最適実施例図である。
【符号の説明】
【００１４】
１    携帯式健康診断装置
２    検査測定ユニット
２１  第一検査測定端
２２  第二検査測定端
３    受診者
４    演算ユニット
５    保存ユニット
６    表示ユニット
７    連接ユニット
【図１】
0003129830.tif 000003
【図２】
0003129830.tif 000004